(57)【特許請求の範囲】
【請求項１】
表示領域に表示電極を備えた互いに対向する二枚の基板における表示領域の外側の非表示領域に、前記表示電極の引き廻し配線が形成され、一方の基板の非表示領域における他方の基板の引き回し配線に対向する位置に、前記引き廻し配線の平面形状に沿ったダミー電極が配設されている液晶表示パネルにおいて、
前記ダミー電極がその屈曲部位において分断され、さらに分断されたその角部がいずれも鈍角とされていることを特徴とする液晶表示パネル。
【発明の詳細な説明】
【技術分野】
【０００１】
本発明は、液晶表示パネルに係り、特に、一方の基板の非表示領域における他方の基板の引き廻し配線に対向する位置に、ダミー電極が形成された液晶表示パネルに関する。
【背景技術】
【０００２】
図４および図５は、従来の液晶表示パネルの視認側および反視認側の互いに対向する一対の基板１、２の電極配線の要部を模式的に示したものであり、基板１、２の厚み方向の内側表面における表示領域３、４には、両基板１、２間に封入された液晶に対して点灯電圧を印加するための表示電極５、６が形成されている。
【０００３】
さらに、各基板１、２の表示領域３、４の外側の非表示領域７、８には、表示電極５、６の引き廻し配線９、１０が配設されている。
【０００４】
そして、視認側の基板１の非表示領域７であって、反視認側の基板２の引き廻し配線１０に対向する位置には、表示には関与しないダミー電極１１が、引き廻し配線１０の平面形状に沿うように形成されている。
【０００５】
また、反視認側の基板２の非表示領域８であって、視認側の基板１の引き回し配線９に対向する位置に、表示には関与しないダミー電極１２が、引き回し配線９の平面形状に沿うように形成されている。
【０００６】
前記ダミー電極１１、１２は、表示領域３、４と非表示領域７、８とのセルギャップを互いに均一にするために各表示電極および引き廻し電極とは独立して前記表示電極と同一の厚さとなるように形成されている（特許文献１参照）。これによって、非表示部の色むらを低減して見栄えの向上を図るようになっている。
【０００７】
ダミー電極１１、１２と引き回し配線９、１０とは、表示領域３、４と非表示領域７、８とのセルギャップを互いに均一にする観点から、本来的に液晶表示パネルの厚み方向において互いに完全に重なり合っている状態が望ましい。
【０００８】
しかし、近年、非表示領域の表面積を縮小化する狭額縁化の要請が強まるのにともなって、非表示領域上に形成される引き廻し配線同士の線間ピッチが狭ピッチになり、ダミー電極と引き回し配線との重ね合わせの位置にずれが生じることを余儀なくされるようになった。
【０００９】
特に、互いに隣接する引き廻し配線の線間ピッチが３０μｍ以下になった場合は、引き廻し配線とダミー電極との重ね合わせ位置のずれが大きくなり、１本の引き廻し配線と、この引き回し配線に本来的に重ね合わされるダミー電極に隣接する他のダミー電極との間で重ね合わせが生じることがあった。また、ダミー電極は、その屈曲部において、パターニング形成する際に、電極残りが発生しやすく、隣接するダミー電極との隙間が狭くなることがある。このため、重ね合わせ位置のずれは、特に、ダミー電極の屈曲部位においてさらに大きなものとなっていた。
【００１０】
【特許文献１】特開２００２−２０２５２１号公報
【発明の開示】
【発明が解決しようとする課題】
【００１１】
ところで、従来から、液晶表示パネルに対しては、表示領域の点灯状態に基づいて電極間のリークの有無を検査することが行われていた。
【００１２】
このようなリーク検査においては、１本置きの引き廻し配線に対して、プローブピンを接触させて電圧を印加し、電圧を印加していない引き廻し配線および表示電極に点灯が生じるか否かによってリークの有無を判断するようになっていた。
【００１３】
しかしながら、前述のようにダミー電極と引き回し配線との重ね合わせ位置にずれが生じた場合、リークの有無を適正に判断することができないといった問題が生じていた。
【００１４】
より具体的には、例えば、図６に示すように、１本置きの引き廻し電極Ｒ１ 、Ｒ３ に点灯電圧を印加してリーク検査を行う際に、引き廻し電極Ｒ２ とダミー電極Ｄ１ とのずれが生じていない場合は、引き廻し電極Ｒ２とダミー電極Ｄ１ との間の液晶は点灯しない。このような場合は、リークの有無を適正に判断することができる。
【００１５】
これに対し、図７に示すように、引き回し配線Ｒ２ とダミー電極Ｄ１ との位置が大きくずれて、ダミー電極Ｄ１ と、引き回し配線Ｒ２ に隣接する引き回し配線Ｒ１ との間で重なり部分１３が生じている場合は、点灯電圧が印加された引き回し配線Ｒ１ により、重なり部分１３において電位差に基づく異常点灯が生じてしまう。このような場合は、リークの有無を適正に判断することが不可能となる。
【００１６】
このような問題を解決するために、例えば、ダミー電極を複数に分断して形成し、電極面積を小さくすることで、容量結合等に基づく電荷の帯電量を少なくして異常点灯を防止することも考えられるが、電極の分断箇所が増加するほど設計に多大な時間および労力を要することになってしまう。
【００１７】
また、従来は、ダミー電極に静電気が帯電した場合、特にダミー電極の屈曲部位に形成された凸部から静電気の放電が発生する問題を有していた。
【００１８】
そこで、本発明は、このような問題点に鑑みなされたものであり、リーク検査をより簡便かつ適正に行うことができ、かつ、ダミー電極に帯電された電荷が隣接する電極との間で放電を起こさないようにすることができる液晶表示パネルを提供することを目的とするものである。
【課題を解決するための手段】
【００１９】
前述した目的を達成するため、本発明の請求項１に係る液晶表示パネルの特徴は、表示領域に表示電極を備えた互いに対向する二枚の基板における表示領域の外側の非表示領域に、前記表示電極の引き廻し配線が形成され、一方の基板の非表示領域における他方の基板の引き回し配線に対向する位置に、前記引き廻し配線の平面形状に沿ったダミー電極が配設されている液晶表示パネルにおいて、前記ダミー電極がその屈曲部位において分断され、さらに分断されたその角部がいずれも鈍角とされている点にある。
【００２０】
そして、このような構成によれば、ダミー電極を、屈曲部位において分断することによって、ダミー電極の分断に要する時間および労力を軽減しつつ、ダミー電極の面積を小さくして異常点灯を防止することが可能となる。
【００２１】
また、ダミー電極が帯電した際の帯電量を小さくできるので、ダミー電極からの静電気の放電を有効に抑制することが可能となる。
【発明の効果】
【００２２】
本発明に係る液晶表示パネルによれば、リーク検査をより簡便かつ適正に行うことができる液晶表示パネルを実現することができ、ダミー電極に帯電された電化が、隣接する電極との間で放電を起こさないようにすることができる。ひいては、色むらのない見栄えに優れた高品位の液晶表示パネルを安価にかつ効率的に製造することができる。
【発明を実施するための最良の形態】
【００２３】
以下、本発明に係る液晶表示パネルの実施形態について、図１乃至図３を参照して説明する。
【００２４】
なお、従来と基本的構成の同一もしくはこれに類する箇所については、同一の符号を用いて説明する。
【００２５】
本実施形態における液晶表示パネル１５においては、従来と同様に、一対の基板のうち図１に示す一方の基板は、視認側の基板１とされており、また、図示しない他方の基板はこの視認側の基板１と対向する反視認側の基板２とされている。一対の基板の対向面間に液晶層が形成され、両基板の対向面に複数の表示電極５、６が整列形成されており、両基板の表示電極５、６が重なる部位が画素とされ、表示領域３、４とされている。
【００２６】
また、各基板１、２の非表示領域７、８には、表示電極３、４の引き廻し配線９、１０が形成され、視認側の基板１の非表示領域７における図示しない反視認側の基板２の引き廻し配線１０に対向する位置に、引き廻し配線１０の平面形状に沿ったダミー電極１６が形成されている。
【００２７】
なお、ダミー電極１６は、酸化インジウム錫（ＩＴＯ）などの透明導電膜をフォトリソ法などによりパターニングして表示電極５および引き廻し配線９を形成する際に同時に形成され、表示電極５および引き廻し配線９と同一の厚さにて形成されている。
【００２８】
また、ダミー電極１６は、セルギャップをできるだけ一様にするためのものであり、表示電極５および引き廻し配線９とは異なり、情報を表示する際に電圧がかからないように独立的に形成されている。
【００２９】
ただし、本実施形態においては、従来とは異なり、図１に示すように、前記ダミー電極１６が、その屈曲部位において分断されている。
【００３０】
このように、ダミー電極１６を、その屈曲部位において分断することによって、ダミー電極１６の分断に要する時間および労力を最小限にとどめながら、各ダミー電極１６の面積を小さくすることができ、電荷の帯電量を低減することができる。
【００３１】
これにより、簡易な手法によって、異常点灯を有効に防止することができるようになっている。
【００３２】
また、ダミー電極１６が屈曲部位において分断されていることによって、当該屈曲部位の凸部が除去されているため、屈曲部位の凸部からの静電気の放電を防止することができるようになっている。
【００３３】
なお、図２に示すように、ダミー電極１６を分断する間隙部の幅寸法Ａは、互いに隣接するダミー電極１６間の間隙部の幅寸法Ｂ以上の寸法とされていることが好ましい。また、分断後のダミー電極の角部は、分断前の屈曲部位の凸部より鈍角となっていることが好ましい。
【００３４】
なお、図１においては、視認側の基板１における分断されたダミー電極１６の構成のみを示しているが、反視認側の基板２においても、ダミー電極の屈曲部位が存在すれば、その屈曲部位においてダミー電極を分断することが望ましいことは勿論である。
【００３５】
次に、本実施形態の作用について説明する。
【００３６】
上記の構成を有するダミー電極１６を備えた液晶表示パネルに対してリーク検査を行う場合は、図３に示すように、従来と同様に、１本置きの引き廻し電極Ｒ１ 、Ｒ３ に対して点灯電圧を印加してリーク検査を行う。
【００３７】
このとき、引き回し配線Ｒ２ とダミー電極Ｄ１ との位置が大きくずれて、ダミー電極Ｄ１ と引き回し配線Ｒ２ に隣接する他の引き回し配線Ｒ１ との間で重なり部分１７が生じる場合がある。
【００３８】
しかし、本実施形態においては、図３に示すように、ダミー電極Ｄ１ が屈曲部位において片部Ｄ１−１ と片部Ｄ１−２ とに分断されているため、各片部Ｄ１−１ 、Ｄ１−２ に対する電荷の帯電量は、従来の分断されていない状態のダミー電極Ｄ１ に対する電荷の帯電量に比べて遥かに低減されている。
【００３９】
この結果、各片部Ｄ１−１ 、Ｄ１−２と引き回し配線Ｒ１ との重なり部分１７において、異常点灯が生じることを防止することができる。
【００４０】
また、このとき、屈曲部位においてダミー電極Ｄ１ が分断されて凸部が除去されていることによって、従来問題となっていた屈曲部位の凸部からの静電気の放電を防止することができる。
【００４１】
このように、本実施形態においては、リーク検査時にダミー電極による異常点灯を防止することができることによって、表示電極間および引き廻し配線間のリークの有無を適正に検査することができる。
【００４２】
なお、本発明は、前述した実施の形態に限定されるものではなく、必要に応じて種々の変更が可能である。
【図面の簡単な説明】
【００４３】
【図１】本発明に係る液晶表示パネルの視認側の基板を模式的に示す平面図
【図２】図１のダミー電極の屈曲部位の拡大平面図
【図３】本発明に係る液晶表示パネルにおいて、ダミー電極と引き回し電極との重ね合わせの位置ずれ状態を模式的に示す平面図
【図４】従来から採用されていた液晶表示パネルの視認側の基板を模式的に示す平面図
【図５】従来から採用されていた液晶表示パネルの反視認側の基板を模式的に示す平面図
【図６】従来から採用されていた液晶表示パネルにおいて、ダミー電極と引き回し電極との位置ずれのない重ね合わせ状態を模式的に示す平面図
【図７】従来から採用されていた液晶表示パネルにおいて、ダミー電極と引き回し電極との重ね合わせの位置ずれ状態を模式的に示す平面図
【符号の説明】
【００４４】
１  視認側の基板
２  反視認側の基板
３，４  表示領域
５，６  表示電極
７，８  非表示領域
９，１０  引き回し配線
１５  液晶表示パネル
１６  ダミー電極
【図１】
0004615213.tif 000002
【図２】
0004615213.tif 000003
【図３】
0004615213.tif 000004
【図４】
0004615213.tif 000005
【図５】
0004615213.tif 000006
【図６】
0004615213.tif 000007
【図７】
0004615213.tif 000008